(57)【要約】      （修正有）【課題】電動工具による作業を容易かつ正確に行うことができるようにする補助工具および電動工具を提供する。【解決手段】先端工具１６としてドリルやドライバーを電動工具１０に装着して穴あけやネジ締めなどの作業を行う場合には、左横溝２８、上横溝３４または右横溝３６に第１ガイドリブ１０２をはめた状態で使用者が電動工具１０を第１補助工具１００に対してスライドさせることにより、容易かつ正確に垂直方向への穴あけやネジ締めなどの作業を行うことができる。【選択図】図４
2020044600.tif 000002
【特許請求の範囲】
【請求項１】
先端工具を回転させる電動工具による作業を補助する補助工具であって、
前記電動工具の移動方向をガイドするガイド部を備え、
前記ガイド部は、
前記電動工具が備える被ガイド部と接触した状態で前記被ガイド部が前記ガイド部に対してスライドするように前記電動工具が移動されると、前記電動工具の移動方向を前記ガイド部に沿う方向にガイドすることを特徴とする補助工具。
【請求項２】
先端工具を回転させる電動工具であって、
前記先端工具が取り付けられる本体部を備え、
前記本体部は、
電動工具による作業を補助する補助工具が備えるガイド部に移動方向がガイドされる被ガイド部を備え、
前記被ガイド部が、
前記ガイド部と接触した状態で前記ガイド部に対してスライドするように前記本体部が移動されると、前記本体部の移動方向が前記ガイド部に沿う方向にガイドされることを特徴とする電動工具。
【請求項３】
先端工具を回転させる電動工具であって、
前記先端工具が取り付けられる本体部と、
前記本体部に対してスライド可能に設けられた補助部を備え、
前記本体部は、
前記補助部が備えるガイド部に移動方向がガイドされる被ガイド部を備え、
前記被ガイド部が、
前記ガイド部と接触した状態で前記ガイド部に対してスライドするように前記本体部が移動されると、前記本体部の移動方向が前記ガイド部に沿う方向にガイドされることを特徴とする電動工具。
【発明の詳細な説明】
【技術分野】
【０００１】
本発明は、電動工具および補助工具に関する。
【背景技術】
【０００２】
従来から、ドリルやドライバーなどの先端工具をモーターで回転させる電動工具が知られている。この種の電動工具は、電動工具が備えるグリップにトリガーが設けられており、トリガーが押下されるとモーターに電力が供給されてモーターが回転し、先端工具が回転するようになっている。そして、使用者が電動工具により作業を行う際には、グリップを手で持って電動工具の位置と向きを調整しながら、すなわちフリーハンドで電動工具の位置と向きを調整しながら、材料やねじなどの作業対象の作業部分に先端工具をあてがいつつ、トリガーを押下して先端工具を回転させるとともに電動工具を直進させることにより、ドリルで材料に穴を空けたり、ドライバーでねじを締めたりする作業を行う（特許文献１参照）。
【先行技術文献】
【特許文献】
【０００３】
【特許文献１】特開２０１８−９４６５１号公報
【発明の概要】
【発明が解決しようとする課題】
【０００４】
ここで従来の電動工具では、作業に不慣れな使用者にとっては、フリーハンドで電動工具の位置と向きを調整しながら、トリガーを押下して先端工具を回転させるとともに電動工具を直進させることが難しく感じられていた。
【０００５】
本発明は、上記事情に鑑みてなされたものであり、その目的は、電動工具による作業を容易かつ正確に行うことができるようにすることにある。
【課題を解決するための手段】
【０００６】
（１）本発明は、先端工具を回転させる電動工具による作業を補助する補助工具であって、前記電動工具の移動方向をガイドするガイド部を備え、前記ガイド部は、前記電動工具が備える被ガイド部と接触した状態で前記被ガイド部が前記ガイド部に対してスライドするように前記電動工具が移動されると、前記電動工具の移動方向を前記ガイド部に沿う方向にガイドすることを特徴とする補助工具に関するものである。
【０００７】
本発明では、補助工具のガイド部と電動工具の被ガイド部が接触した状態でガイド部に対して被ガイド部をスライドさせることにより、電動工具をガイド部に沿う方向に移動させることができる。
【０００８】
（２）また本発明は、先端工具を回転させる電動工具であって、前記先端工具が取り付けられる本体部を備え、前記本体部は、電動工具による作業を補助する補助工具が備えるガイド部に移動方向がガイドされる被ガイド部を備え、前記被ガイド部が、前記ガイド部と接触した状態で前記ガイド部に対してスライドするように前記本体部が移動されると、前記本体部の移動方向が前記ガイド部に沿う方向にガイドされることを特徴とする電動工具に関するものである。
【０００９】
本発明では、補助工具のガイド部と電動工具の被ガイド部が接触した状態でガイド部に対して被ガイド部をスライドさせることにより、電動工具をガイド部に沿う方向に移動させることができる。
【００１０】
（３）また本発明は、先端工具を回転させる電動工具であって、前記先端工具が取り付けられる本体部と、前記本体部に対してスライド可能に設けられた補助部を備え、前記本体部は、前記補助部が備えるガイド部に移動方向がガイドされる被ガイド部を備え、前記被ガイド部が、前記ガイド部と接触した状態で前記ガイド部に対してスライドするように前記本体部が移動されると、前記本体部の移動方向が前記ガイド部に沿う方向にガイドされることを特徴とする電動工具に関するものである。
【００１１】
本発明では、補助部のガイド部と本体部の被ガイド部が接触した状態でガイド部に対して被ガイド部をスライドさせることにより、電動工具をガイド部に沿う方向に移動させることができる。
【発明の効果】
【００１２】
本発明によれば、電動工具による作業を容易かつ正確に行うことができる。
【図面の簡単な説明】
【００１３】
【図１】本発明の実施形態の電動工具の外観構成を示す左側面図である。
【図２】本発明の実施形態の電動工具の外観構成を示す正面図である。
【図３】本発明の実施形態の第１補助工具の外観構成を示す斜視図である。
【図４】本発明の実施形態の第１補助工具の使用例を示す側面図である。
【図５】本発明の実施形態の第２補助工具の外観構成を示す斜視図である。
【図６】本発明の実施形態の第２補助工具の使用例を示す側面図である。
【発明を実施するための形態】
【００１４】
以下では、本発明の実施形態について説明する。なお以下に説明する本実施形態は、特許請求の範囲に記載された本発明の内容を不当に限定するものではない。また本実施形態で説明される構成の全てが、本発明の必須構成要件であるとは限らない。
【００１５】
図１は、本実施形態の電動工具１０の外観構成を示す左側面図である。本実施形態の電動工具１０は、図１に示すように、前後方向に長い本体１２（本体部）と、本体１２から下方に伸びるグリップ１４を備えている。そして本体１２の前端には、ドリルなどの先端工具１６を本体１２に対して回転可能かつ着脱自在に、すなわち他の先端工具と交換可能に接続するチャック１８と、チャック１８を覆うスリーブ２０が設けられている。
【００１６】
詳細には本実施形態のスリーブ２０は、先端工具１６の回転軸２２を中心として本体１２に対して所定範囲で回転可能に設けられており、使用者がスリーブ２０を一方向に回転させると、チャック１８が緩んで先端工具１６を着脱することができるようになり、チャック１８に先端工具１６を挿入した状態で使用者がスリーブ２０を他方向に回転させると、チャック１８が締まって先端工具１６を本体１２に対して回転可能に接続することができるようになっている。
【００１７】
また本体１２の内部には、チャック１８を回転させることにより先端工具１６を回転させるモーターが設けられており、モーターとチャック１８はシャフトや複数のギヤを介して接続されている。また本体１２の内部には、クラッチが設けられており、シャフトに対する負荷トルクが設定トルクを超えると、シャフトが空転してチャック１８および先端工具１６が回転しなくなるようになっている。
【００１８】
またグリップ１４の下端には、バッテリーパックまたは電源コードが接続され、バッテリーパックまたは家庭用電源から電力が供給される。そしてグリップ１４の上部前側には、前方に突出するようにトリガー２４が設けられており、使用者がトリガー２４を後方に押下すると、モーターに電力が供給されてモーターが回転し、チャック１８および先端工具１６が回転する。
【００１９】
またグリップ１４の上部には、モーターの正転逆転を切り替える切替スイッチ２６が設けられている。この切替スイッチ２６は、グリップ１４の上部を左右方向（図中では手前奥方向）に貫通するように設けられており、使用者が切替スイッチ２６を左方向（図中では手前方向）に突出するように操作するとモーターが正転し、使用者が切替スイッチ２６を右方向（図中では奥方向）に突出するように操作するとモーターが逆転するようになっている。
【００２０】
そして本実施形態では、本体１２の左側面には、先端工具１６の回転軸２２と平行となる前後方向に直線状に形成された溝である左横溝２８（被ガイド部）が設けられており、この左横溝２８は、本体１２の左側面の前端から後端にわたって形成されている。
【００２１】
また本体１２の左側面には、先端工具１６の回転軸２２と直交する上下方向に直線状に形成された左縦溝３０（被ガイド部）が設けられており、この左縦溝３０は、本体１２の左側面の上端から下端にわたって形成されている。
【００２２】
また本体１２の上面には、先端工具１６の回転軸２２と直交する左右方向に直線状に形成された上縦溝３２（被ガイド部）が設けられており、この上縦溝３２は、本体１２の上面の左端から右端にわたって形成されている。
【００２３】
図２は、本実施形態の電動工具１０の外観構成を示す正面図である。図２に示すように、本体１２の左側面には左横溝２８が設けられているが、本体１２の上面には、先端工具１６の回転軸２２と平行となる前後方向に直線状に形成された溝である上横溝３４（被ガイド部）が設けられており、この上横溝３４は、本体１２の上面の前端から後端にわたって形成されている。
【００２４】
また本体１２の右側面には、先端工具１６の回転軸２２と平行となる前後方向に直線状に形成された溝である右横溝３６（被ガイド部）が設けられており、この右横溝３６は、本体１２の右側面の前端から後端にわたって形成されている。
【００２５】
また本体１２の右側面には、先端工具１６の回転軸２２と直交する上下方向に直線状に形成された右縦溝３８（被ガイド部）が設けられており、この右縦溝３８は、本体１２の右側面の上端から下端にわたって形成されている。
【００２６】
そして本実施形態では、左横溝２８、左縦溝３０、上縦溝３２、上横溝３４、右横溝３６および右縦溝３８は、各溝の幅および深さが同一となっており、断面形状が上底の方が下底よりも長い台形となっている。
【００２７】
ここで本実施形態では、図１に示すように、左側面が左横溝２８と左縦溝３０によって４つの領域に区分けされているが、左側面の４つの領域のうちの前上部分に相当する左前上部４０と、前下部分に相当する左前下部４２と、後上部分に相当する左後上部４４と、後下部分に相当する左後下部４６のそれぞれが、左側面に対してネジで固定されており、それぞれのネジを外すことにより左前上部４０と、左前下部４２と、左後上部４４と、左後下部４６のそれぞれを本体１２の左側面から取り外すことができるようになっている。すなわち本実施形態では、左前上部４０と、左前下部４２と、左後上部４４と、左後下部４６のそれぞれを本体１２の左側面に取り付けることにより、左横溝２８と左縦溝３０が形成されるようになっている。
【００２８】
また図１および図２に示すように、上面も上縦溝３２と上横溝３４によって４つの領域に区分けされており、上面の４つの領域のうちの前左部分に相当する上前左部４８と、前右部分に相当する上前右部５０と、後左部分に相当する上後左部５２と、後右部分に相当する上後右部５４のそれぞれが、上面に対してネジで固定されており、それぞれのネジを外すことにより上前左部４８と、上前右部５０と、上後左部５２と、上後右部５４のそれぞれを本体１２の上面から取り外すことができるようになっている。すなわち本実施形態では、上前左部４８と、上前右部５０と、上後左部５２と、上後右部５４のそれぞれを本体１２の上面に取り付けることにより、上縦溝３２と上横溝３４が形成されるようになっている。
【００２９】
また図１および図２に示すように、右側面が右横溝３６と右縦溝３８によって４つの領域に区分けされているが、右側面の４つの領域のうちの前上部分に相当する右前上部５６と、前下部分に相当する右前下部５８と、後上部分に相当する右後上部６０と、後下部分に相当する右後下部６２のそれぞれが、右側面に対してネジで固定されており、それぞれのネジを外すことにより右前上部５６と、右前下部５８と、右後上部６０と、右後下部６２のそれぞれを本体１２の右側面から取り外すことができるようになっている。すなわち本実施形態では、右前上部５６と、右前下部５８と、右後上部６０と、右後下部６２のそれぞれを本体１２の右側面に取り付けることにより、右横溝３６と右縦溝３８が形成されるようになっている。
【００３０】
図３は、本実施形態の電動工具１０を使用者が使用する際に電動工具１０の移動方向を誘導して使用者の作業を補助する補助工具の一例である第１補助工具１００の外観構成を示す斜視図である。図３に示すように、本実施形態の第１補助工具１００は、直線状に形成されたリブである第１ガイドリブ１０２（ガイド部）が設けられた長方形の板状のガイド板１０４（ガイド部）と、ガイド板１０４の一辺から一方向に垂直に延びる正方形の板状の垂直板１０６（垂直部）を備えている。ここで垂直板１０６には、中央部に円形の貫通孔１０８が形成されており、垂直板１０６の内側面には、貫通孔１０８の中心を示す照準１１０が設けられている。
【００３１】
そしてガイド板１０４に設けられた第１ガイドリブ１０２は、電動工具１０に設けられた左横溝２８、左縦溝３０、上縦溝３２、上横溝３４、右横溝３６および右縦溝３８のそれぞれにはめられた状態で、使用者が電動工具１０を第１補助工具１００に対してスライドさせることができるように、断面形状が上底の方が下底よりも短い台形となっている。
【００３２】
従って本実施形態では、電動工具１０の左横溝２８、上横溝３４または右横溝３６に第１補助工具１００の第１ガイドリブ１０２をはめた状態で使用者が電動工具１０を第１補助工具１００に対してスライドさせることにより、先端工具１６の回転軸２２と平行となる前後方向に電動工具１０を直進させることができる。
【００３３】
また本実施形態では、電動工具１０の左縦溝３０、上縦溝３２または右縦溝３８に第１補助工具１００の第１ガイドリブ１０２をはめた状態で使用者が電動工具１０を第１補助工具１００に対してスライドさせることにより、先端工具１６の回転軸２２と直交する上下方向あるいは左右方向に電動工具１０を直進させることができる。
【００３４】
そして本実施形態の電動工具１０および第１補助工具１００は、左横溝２８、上横溝３４または右横溝３６に第１ガイドリブ１０２をはめた状態では、先端工具１６の回転軸２２が、貫通孔１０８の中心を通り貫通孔１０８に直交する貫通孔１０８の中心線である第１中心線１１２と一致するように、電動工具１０および第１補助工具１００の各部分が形成されている。
【００３５】
図４は、本実施形態の電動工具１０と第１補助工具１００の使用例を示す図である。図４（Ａ）に示すように、まず使用者は、第１補助工具１００の垂直板１０６の外側面を作業対象の平面に接触させながら、作業部分が貫通孔１０８の中心となるように第１補助工具１００の位置を調整する。そして、作業部分が貫通孔１０８の中心となる位置で作業対象に対して第１補助工具１００を一方の手で固定しながら、他方の手で電動工具１０のグリップ１４を持つ。なお、作業対象に対して第１補助工具１００を一方の手で固定しやすいようにするために、第１補助工具１００にもグリップやハンドルなどの把手部を設けるようにしてもよい。
【００３６】
そして図４（Ａ）に示す例では、上横溝３４に第１ガイドリブ１０２がはまるように電動工具１０の本体１２の上面を第１補助工具１００のガイド板１０４の内側面に押し当てながら、電動工具１０を第１ガイドリブ１０２に沿ってスライドさせる。すると、先端工具１６の回転軸２２が貫通孔１０８の第１中心線１１２と一致する状態で、電動工具１０を先端工具１６の回転軸２２と平行に、かつ先端工具１６の回転軸２２が作業対象の平面に対して直交する方向に直進させながら、先端工具１６によって作業部分に対する作業を行うことができる。
【００３７】
また本実施形態では、図４（Ｂ）に示すように、左横溝２８に第１ガイドリブ１０２がはまるように電動工具１０の本体１２の左側面を第１補助工具１００のガイド板１０４の内側面に押し当てながら、あるいは図示しないが、右横溝３６に第１ガイドリブ１０２がはまるように電動工具１０の本体１２の右側面を第１補助工具１００のガイド板１０４の内側面に押し当てながら、電動工具１０を第１ガイドリブ１０２に沿ってスライドさせることもできる。そして本実施形態では、このような場合であっても、先端工具１６の回転軸２２が貫通孔１０８の第１中心線１１２と一致する状態で、電動工具１０を先端工具１６の回転軸２２と平行に、かつ先端工具１６の回転軸２２が作業対象の平面に対して直交する方向に直進させながら、先端工具１６によって作業部分に対する作業を行うことができる。
【００３８】
従って本実施形態では、先端工具１６としてドリルやドライバーを電動工具１０に装着して穴あけやネジ締めなどの作業を行う場合には、左横溝２８、上横溝３４または右横溝３６に第１ガイドリブ１０２をはめた状態で使用者が電動工具１０を第１補助工具１００に対してスライドさせることにより、容易かつ正確に垂直方向への穴あけやネジ締めなどの作業を行うことができる。
【００３９】
また本実施形態では、図示しないが、例えば、第１補助工具１００のガイド板１０４の外側面を作業台となる水平面に接触させることにより、第１補助工具１００を横にした状態で配置し、左縦溝３０、上縦溝３２または右縦溝３８に第１ガイドリブ１０２がはまるように電動工具１０の本体１２の左側面、上面または右側面を第１補助工具１００のガイド板１０４の内側面に押し当てながら、電動工具１０を第１ガイドリブ１０２に沿ってスライドさせることもできる。そして本実施形態では、このような場合には、電動工具１０を先端工具１６の回転軸２２と直交する方向に直進させながら、先端工具１６によって作業部分に対する作業を行うことができる。
【００４０】
従って本実施形態では、先端工具１６としてグラインダーや回転ブラシを電動工具１０に装着して研磨などの作業を行う場合には、左縦溝３０、上縦溝３２または右縦溝３８に第１ガイドリブ１０２をはめた状態で使用者が電動工具１０を第１補助工具１００に対してスライドさせることにより、容易かつ正確に研磨などの作業を行うことができる。
【００４１】
図５は、補助工具の他の例である第２補助工具２００の外観構成を示す斜視図である。図５に示すように、第２補助工具２００は、図中上端側と図中下端側が正方形の開口となる４つの面から構成された角筒状に形成されており、図中上端側の開口である第１開口２０２から内側空間２０４に電動工具１０の本体１２を、先端工具１６の回転軸２２と平行となる前後方向にスライドさせながら受け入れることができるようになっている。
【００４２】
そして、第２補助工具２００を構成する４つの面のうち、１つの面の図中上端側には、第１開口２０２から内側空間２０４に電動工具１０の本体１２を受け入れる際に、電動工具１０のグリップ１４を受け入れる切り欠きであるグリップ切り欠き２０６が設けられている。そして本実施形態の第２補助工具２００では、第１開口２０２から内側空間２０４に電動工具１０の本体１２を受け入れて、グリップ切り欠き２０６の最奥部にグリップ１４が到達すると、電動工具１０の先端工具１６が内側空間２０４を貫通して図中下端側の開口である第２開口２０８から突出するように、グリップ切り欠き２０６が形成されている。
【００４３】
また第２補助工具２００の４つの面のうち、グリップ切り欠き２０６が設けられた面と向かい合う面の図中下端側には、四角形状の切り欠きである四角切り欠き２１０が設けられている。また、その他の２つの向かい合う面のそれぞれの図中下端側には、切り欠きを形成する２つの辺の長さが等しい二等辺三角形状の切り欠きである三角切り欠き２１２が設けられている。そして、２つの向かい合う面に設けられた２つの三角切り欠き２１２のそれぞれは、形状、大きさ、向きおよび２つの向かい合う面のそれぞれにおける位置が同一となっている。
【００４４】
また、三角切り欠き２１２が設けられた２つの面のそれぞれの内側には、内側空間２０４に電動工具１０の本体１２を受け入れる際の先端工具１６の回転軸２２と平行となる方向に直線状に形成されたリブである第２ガイドリブ２１４（ガイド部）が設けられている。そして２つの第２ガイドリブ２１４は、内側空間２０４に電動工具１０の本体１２を受け入れる際には、電動工具１０の左横溝２８および右横溝３６にはまった状態で、使用者が電動工具１０を第２補助工具２００に対してスライドさせることができるように設けられている。
【００４５】
従って本実施形態では、第２補助工具２００の内側空間２０４に電動工具１０の本体１２が受け入れられた状態で、使用者が電動工具１０を第２補助工具２００に対してスライドさせることにより、電動工具１０を先端工具１６の回転軸２２と平行となる前後方向に直進させることができる。
【００４６】
そして本実施形態の電動工具１０および第２補助工具２００は、第２補助工具２００の内側空間２０４に電動工具１０の本体１２が受け入れられた状態では、先端工具１６の回転軸２２が、第１開口２０２の中心と第２開口２０８の中心を結ぶ内側空間２０４の中心線である第２中心線２１６と一致するように、電動工具１０および第２補助工具２００の各部分が形成されている。
【００４７】
また、第２補助工具２００の４つの面のそれぞれの図中最下端となる底辺部２１８（垂直部）は、平面に底辺部２１８を接触させた状態では、第２補助工具２００の４つの面および２つの第２ガイドリブ２１４が平面に対して垂直となるように形成されている。
【００４８】
図６は、本実施形態の電動工具１０と第２補助工具２００の使用例を示す図である。図６（Ａ）に示す例では、作業対象が平面となっており、この場合には使用者は、まずは第２補助工具２００の内側空間２０４に電動工具１０の本体１２が受け入れられた状態で、第２補助工具２００の底辺部２１８を平面に接触させる。そして、先端工具１６の位置が作業部分に対応する位置となるように、四角切り欠き２１０あるいは三角切り欠き２１２を通じて目視しながら、平面に対する第２補助工具２００および電動工具１０の位置を調整する。
【００４９】
そして図６（Ａ）に示す例では、先端工具１６の位置が作業部分に対応する位置となる状態で、平面に対して第２補助工具２００を一方の手で固定しながら、他方の手で電動工具１０のグリップ１４を持って、電動工具１０を第２補助工具２００の内側空間２０４に沿ってスライドさせる。すると、先端工具１６の回転軸２２が内側空間２０４の第２中心線２１６と一致する状態で、電動工具１０を先端工具１６の回転軸２２と平行に、かつ先端工具１６の回転軸２２が平面に対して直交する方向に直進させながら、先端工具１６によって作業部分に対する作業を行うことができる。
【００５０】
一方、図６（Ｂ）に示す例では、作業対象が円柱の側面となっており、この場合には使用者は、まずは第２補助工具２００の内側空間２０４に電動工具１０の本体１２が受け入れられた状態で、第２補助工具２００の三角切り欠き２１２を形成する２つの等辺である２つの等辺部２２０のそれぞれを円柱の側面に接触させる。そして、先端工具１６の位置が作業部分に対応する位置となるように、四角切り欠き２１０あるいは三角切り欠き２１２を通じて目視しながら、円柱に対する第２補助工具２００および電動工具１０の位置および向きを調整する。
【００５１】
ここで図６（Ｂ）に示す例では、２つの向かい合う面に設けられた２つの三角切り欠き２１２のそれぞれが、形状、大きさおよび向きが同一となっている二等辺三角形状に形成されているため、２つの三角切り欠き２１２のそれぞれにおいて２つの等辺部２２０のそれぞれを円柱の側面に接触させることにより、内側空間２０４の第２中心線２１６が円柱状の作業対象の中心軸Ｐと交差するように、円柱状の作業対象に対して第２補助工具２００を安定的に固定することができる。
【００５２】
そして図６（Ｂ）に示す例では、先端工具１６の位置が作業部分に対応する位置となる状態で、円柱の側面に対して第２補助工具２００を一方の手で固定しながら、他方の手で電動工具１０のグリップ１４を持って、電動工具１０を第２補助工具２００の内側空間２０４に沿ってスライドさせる。すると、先端工具１６の回転軸２２が内側空間２０４の第２中心線２１６と一致する状態で、電動工具１０を先端工具１６の回転軸２２と平行に、かつ先端工具１６の回転軸２２が円柱状の作業対象の中心軸Ｐと交差する方向に直進させながら、先端工具１６によって作業部分に対する作業を行うことができる。
【００５３】
従って本実施形態では、先端工具１６としてドリルやドライバーを電動工具１０に装着して穴あけやネジ締めなどの作業を行う場合には、第２補助工具２００の内側空間２０４に電動工具１０の本体１２が受け入れられた状態で、使用者が電動工具１０を第２補助工具２００に対してスライドさせることにより、容易かつ正確に穴あけやネジ締めなどの作業を行うことができる。
【００５４】
なお本実施形態の第２補助工具２００では、図６（Ａ）および図６（Ｂ）に示すように、グリップ切り欠き２０６がグリップ１４を受け入れる際には、第２補助工具２００が電動工具１０の切替スイッチ２６と干渉しないように、本体１２と切替スイッチ２６の間を第２補助工具２００が通過するようになっている。
【００５５】
本発明は、上記の実施形態で説明したものに限らず、種々の変形実施が可能であり、以下に変形例を紹介する。なお、上記実施形態や、以下において変形例として説明する各種の手法は、本発明を実現する手法として適宜組み合わせて採用することができる。
【００５６】
まず上記実施形態では、電動工具１０の被ガイド部として左横溝２８、左縦溝３０、上縦溝３２、上横溝３４、右横溝３６および右縦溝３８が設けられている例を挙げて説明したが、電動工具１０の被ガイド部として左横溝２８、左縦溝３０、上縦溝３２、上横溝３４、右横溝３６および右縦溝３８の少なくとも１つが設けられているようにしてもよい。
【００５７】
また上記実施形態では、左前上部４０と、左前下部４２と、左後上部４４と、左後下部４６等を本体１２の左側面等に取り付けることにより、左横溝２８と左縦溝３０等が形成されるようになっている例を挙げて説明したが、本体１２の各側面に一体的に各溝が成型されているようにしてもよい。
【００５８】
また上記実施形態では、電動工具１０の被ガイド部として溝が設けられ、第１補助工具１００および第２補助工具２００のガイド部としてリブが設けられている例を挙げて説明したが、電動工具１０の被ガイド部としてリブが設けられ、第１補助工具１００および第２補助工具２００のガイド部として溝が設けられているようにしてもよい。
【００５９】
また上記実施形態では、第１補助工具１００は１つのガイド板１０４を備える例を挙げて説明したが、垂直板１０６に対して垂直に設けられた２つ以上のガイド板１０４を備えるようにしてもよい。そしてこの場合には、電動工具１０の本体１２の側面あるいは上面を２つ以上のガイド板１０４の内側面に押し当てながら、電動工具１０を２つ以上のガイド板１０４の内側面に沿ってスライドさせるようにすれば、先端工具１６の回転軸２２が貫通孔１０８の第１中心線１１２と一致する状態で、電動工具１０を先端工具１６の回転軸２２と平行に、かつ先端工具１６の回転軸２２が作業対象の平面に対して直交する方向に直進させることができる。そしてこの場合には、第１補助工具１００の２つ以上のガイド板１０４の内側面がガイド部として機能し、電動工具１０の本体１２の側面あるいは上面が被ガイド部として機能するため、第１補助工具１００の２つ以上のガイド板１０４の内側面あるいは電動工具１０の本体１２の側面や上面に、リブあるいは溝が設けられていないようにしてもよい。
【００６０】
また上記実施形態では、図４（Ａ）および図４（Ｂ）で示したように、作業対象の平面が水平となるように作業対象を配置して、第１補助工具１００の垂直板１０６の外側面を作業対象の平面に接触させることにより、第１補助工具１００を縦にした状態で用いる例を挙げて説明したが、例えば作業台となる水平面に対して作業対象の平面が垂直となるように作業対象を配置し、第１補助工具１００のガイド板１０４の外側面を作業台となる水平面に接触させ、第１補助工具１００の垂直板１０６の外側面を作業対象の平面に接触させることにより、第１補助工具１００を横にした状態で用いるようにしてもよい。
【００６１】
また上記実施形態では、第２補助工具２００は４つの面から構成された角筒状に形成されている例を挙げて説明したが、互いに平行とならない２つ以上の面から構成されているようにしてもよい。そしてこの場合には、電動工具１０の本体１２の側面あるいは上面を第２補助工具２００の２つ以上の面の内側に押し当てながら、電動工具１０を２つ以上の面の内側に沿ってスライドさせるようにすれば、先端工具１６の回転軸２２が内側空間２０４の第２中心線２１６と一致する状態で、電動工具１０を先端工具１６の回転軸２２と平行に、かつ先端工具１６の回転軸２２が作業対象の平面に対して直交する方向に直進させることができる。そしてこの場合には、２つ以上の面の内側がガイド部として機能し、電動工具１０の本体１２の側面あるいは上面が被ガイド部として機能するため、第２補助工具２００の２つ以上の面の内側あるいは電動工具１０の本体１２の側面や上面に、リブあるいは溝が設けられていないようにしてもよい。
【００６２】
また上記実施形態では、電動工具１０とは別の工具として第１補助工具１００あるいは第２補助工具２００が用いられる例を挙げて説明したが、第１補助工具１００あるいは第２補助工具２００の各部分が電動工具１０の一部である補助部として電動工具１０に組み込まれているようにしてもよい。
【００６３】
例えば、ガイド板１０４と垂直板１０６を備える第１補助部が、第１ガイドリブ１０２が上横溝３４にはまった状態で電動工具１０の本体１２に対して前後方向にスライド可能に取り付けられているようにしてもよいし、筒状の第２補助部が、電動工具１０の本体１２に対して前後方向にスライド可能に取り付けられているようにしてもよい。
【符号の説明】
【００６４】
１０  電動工具、１２  本体、１４  グリップ、１６  先端工具、１８  チャック、
２０  スリーブ、２２  回転軸、２４  トリガー、２６  切替スイッチ、
２８  左横溝、３０  左縦溝、３２  上縦溝、３４  上横溝、３６  右横溝、
３８  右縦溝、４０  左前上部、４２  左前下部、４４  左後上部、４６  左後下部、
４８  上前左部、５０  上前右部、５２  上後左部、５４  上後右部、５６  右前上部、
５８  右前下部、６０  右後上部、６２  右後下部、
１００  第１補助工具、１０２  第１ガイドリブ、１０４  ガイド板、１０６  垂直板、
１０８  貫通孔、１１０  照準、１１２  第１中心線、
２００  第２補助工具、２０２  第１開口、２０４  内側空間、
２０６  グリップ切り欠き、２０８  第２開口、２１０  四角切り欠き、
２１２  三角切り欠き、２１４  第２ガイドリブ、２１６  第２中心線、
２１８  底辺部、２２０  等辺部
【図１】
2020044600.tif 000003
【図２】
2020044600.tif 000004
【図３】
2020044600.tif 000005
【図４】
2020044600.tif 000006
【図５】
2020044600.tif 000007
【図６】
2020044600.tif 000008
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
先端工具を回転させる電動工具による作業を補助する補助工具であって、
前記電動工具の移動方向をガイドするガイド部と、
前記ガイド部がガイドする前記電動工具の移動方向と直交する直交板を備え、
前記ガイド部は、
前記電動工具が備える被ガイド部と接触した状態で前記被ガイド部が前記ガイド部に沿ってスライドするように前記電動工具が移動されると、前記電動工具の移動方向を前記電動工具の先端工具の回転軸と平行となる方向にガイドし、
前記直交板は、
前記ガイド部にガイドされた前記電動工具の先端工具の回転軸が中心を通るように前記電動工具の先端工具が貫通可能な貫通孔を備えることを特徴とする補助工具。
【請求項２】
先端工具を回転させる電動工具であって、
前記先端工具が取り付けられる本体部を備え、
前記本体部は、
電動工具による作業を補助する補助工具が備えるガイド部に移動方向がガイドされる第１被ガイド部と第２被ガイド部を備え、
前記第１被ガイド部が、
前記ガイド部と接触した状態で前記ガイド部に沿ってスライドするように前記本体部が移動されると、前記本体部の移動方向が前記先端工具の回転軸と平行となる方向にガイドされ、
前記第２被ガイド部が、
前記ガイド部と接触した状態で前記ガイド部に沿ってスライドするように前記本体部が移動されると、前記本体部の移動方向が前記先端工具の回転軸と直交する方向にガイドされることを特徴とする電動工具。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
先端工具を回転させる電動工具であって、
前記先端工具が取り付けられる本体部を備え、
前記本体部は、
電動工具による作業を補助する補助工具が備えるガイド部に移動方向がガイドされる第１被ガイド部と第２被ガイド部を備え、
前記第１被ガイド部が、
前記ガイド部と接触した状態で前記ガイド部に沿ってスライドするように前記本体部が移動されると、前記本体部の移動方向が前記先端工具の回転軸と平行となる方向にガイドされ、
前記第２被ガイド部が、
前記ガイド部と接触した状態で前記ガイド部に沿ってスライドするように前記本体部が移動されると、前記本体部の移動方向が前記先端工具の回転軸と直交する方向にガイドされることを特徴とする電動工具。